(57)【要約】【課題】全体の見た目を大幅に向上し、全体の価値を高めて製品の競争力を高めるアルミニウム合金キャビネット構造を提供する。【解決手段】アルミニウム合金キャビネット構造は、側板１、外メインボード２及び内分離プレート３を備えるとともに、アルミニウム合金からなる。側板１の内側面の上下端縁及び中央部には、位置決め部材１１が配設される。位置決め部材１１は、螺着部を有し、螺着部を介して位置決め部材１１が側板１に螺着固定される。螺着部には、挟持セクションが延設される。挟持セクションの外端には、ストッパ部が接続される。外メインボード２は、２つの側板１間の上下端に対応する。外メインボード２の両側には、組立ブロックが嵌合される嵌合部がそれぞれ設けられる。内分離プレート３は、２つの側板１間に対応するように設けられる。【選択図】図１
0003208548.tif 000002
【実用新案登録請求の範囲】
【請求項１】
側板、外メインボード及び内分離プレートを備えるとともに、アルミニウム合金からなるアルミニウム合金キャビネット構造であって、
前記側板の内側面の上下端縁及び中央部には、位置決め部材が配設され、前記位置決め部材は、螺着部を有し、前記螺着部を介して前記位置決め部材が前記側板に螺着固定され、前記螺着部には、挟持セクションが延設され、前記挟持セクションの外端には、ストッパ部が接続され、
前記外メインボードは、２つの前記側板間の上下端に対応し、前記外メインボードの両側には、組立ブロックが嵌合される嵌合部がそれぞれ設けられ、前記組立ブロックには、組立孔が凹設され、前記外メインボードは、前記組立孔に対応する貫通孔を有し、前記組立ブロックは、前記側板に対応する端面に、前記組立孔と連通する挿入孔を有し、組立部材は、前記組立ブロックの前記組立孔内に嵌合され、前記組立部材の側面には、前記位置決め部材の前記挟持セクションが挿入される前記挿入孔に対応する挿入槽が形成され、前記挿入槽の側辺には、前記位置決め部材のストッパ部が嵌合される嵌挿槽が形成され、前記組立部材の外表面には、嵌挿溝が形成され、
前記内分離プレートは、２つの前記側板間に対応するように設けられ、前記内分離プレートの両側には、嵌着ブロックを嵌合する結合部が設けられ、前記嵌着ブロックの底面には、嵌着孔が凹設され、前記嵌着ブロックの前記側板に対応した端面には、前記嵌着孔と連通する嵌着槽が形成されるとともに、前記内分離プレートの底面には、前記嵌着孔及び前記嵌着槽に対応するスリットが形成され、前記嵌着ブロックの前記嵌着孔内には嵌着部材が嵌合され、前記嵌着部材には、前記嵌着槽に対応する嵌合槽が凹設され、前記嵌着部材内には、前記組立部材が嵌合され、前記組立部材には、前記位置決め部材の前記挟持セクションが嵌着し得る、前記嵌合槽に対応した前記挿入槽が形成され、前記挿入槽の側辺には、前記位置決め部材の前記ストッパ部が嵌合し得る嵌挿槽が形成され、前記組立部材の前記嵌着孔に対応する外表面には、前記嵌挿溝が形成されていることを特徴とする、
アルミニウム合金キャビネット構造。
【請求項２】
前記外メインボードの両側には、カバーするのに用いる保護板が設けられ、前記保護板には、前記組立ブロックの前記挿入孔に対応する挿入孔が形成されていることを特徴とする請求項１に記載のアルミニウム合金キャビネット構造。
【請求項３】
前記内分離プレートの両側は、前記保護板によりカバーされ、前記保護板には、前記嵌着ブロックの前記嵌着槽に対応するスロットが形成されていることを特徴とする請求項２に記載のアルミニウム合金キャビネット構造。
【考案の詳細な説明】
【技術分野】
【０００１】
本考案は、アルミニウム合金キャビネット構造に関し、特に、キャビネット全体を組立結合する際に使用する結合部材を隠し、結合部材の露出度を下げて全体の見た目を大幅に向上し、全体の価値を高めて製品の競争力を高めるアルミニウム合金キャビネット構造に関する。
【背景技術】
【０００２】
収納キャビネットは、日常生活で広く使用されており、一般によく見かける各種キャビネットは、工場で製造されてから消費者へ販売されるが、キャビネットが一定の体積を有するため運搬するのに不便であった。そのため、キャビネットは、消費者自らが組み立てる方式で販売され始めている。この方式は購入後の運搬が容易であり、キャビネットを設置する場所で螺着部材によりキャビネットを消費者自らが組み立てることができるため便利である。
【０００３】
しかし上述したような従来の組立型キャビネット構造は、運搬が容易であるが、組み立てる際、組立型キャビネットの各板材を螺着部材により螺着し、組立型キャビネットの外端から螺着部材が多数露出されて見た目が悪くなるため、依然として改善の余地があった。
【０００４】
そのため、本考案者は上述したような従来技術の問題点を改善するアルミニウム合金キャビネット構造を開発した。  
【考案の概要】
【考案が解決しようとする課題】
【０００５】
本考案の目的は、キャビネット全体を組立結合する際に使用する結合部材を隠し、結合部材の露出度を下げて全体の見た目を大幅に向上させ、全体の価値を高めて製品の競争力を高めるアルミニウム合金キャビネット構造を提供することにある。
【課題を解決するための手段】
【０００６】
上記課題を解決するために、本考案の第１の形態によれば、側板、外メインボード及び内分離プレートを備えるとともに、アルミニウム合金からなるアルミニウム合金キャビネット構造であって、前記側板の内側面の上下端縁及び中央部には、位置決め部材が配設され、前記位置決め部材は、螺着部を有し、前記螺着部を介して前記位置決め部材が前記側板に螺着固定され、前記螺着部には、挟持セクションが延設され、前記挟持セクションの外端には、ストッパ部が接続され、前記外メインボードは、２つの前記側板間の上下端に対応し、前記外メインボードの両側には、組立ブロックが嵌合される嵌合部がそれぞれ設けられ、前記組立ブロックには、組立孔が凹設され、前記外メインボードは、前記組立孔に対応する貫通孔を有し、前記組立ブロックは、前記側板に対応する端面に、前記組立孔と連通する挿入孔を有し、組立部材は、前記組立ブロックの前記組立孔内に嵌合され、前記組立部材の側面には、前記位置決め部材の前記挟持セクションが挿入される前記挿入孔に対応する挿入槽が形成され、前記挿入槽の側辺には、前記位置決め部材のストッパ部が嵌合される嵌挿槽が形成され、前記組立部材の外表面には、嵌挿溝が形成され、前記内分離プレートは、２つの前記側板間に対応するように設けられ、前記内分離プレートの両側には、嵌着ブロックを嵌合する結合部が設けられ、前記嵌着ブロックの底面には、嵌着孔が凹設され、前記嵌着ブロックの前記側板に対応した端面には、前記嵌着孔と連通する嵌着槽が形成されるとともに、前記内分離プレートの底面には、前記嵌着孔及び前記嵌着槽に対応するスリットが形成され、前記嵌着ブロックの前記嵌着孔内には嵌着部材が嵌合され、前記嵌着部材には、前記嵌着槽に対応する嵌合槽が凹設され、前記嵌着部材内には、前記組立部材が嵌合され、前記組立部材には、前記位置決め部材の前記挟持セクションが嵌着し得る、前記嵌合槽に対応した前記挿入槽が形成され、前記挿入槽の側辺には、前記位置決め部材の前記ストッパ部が嵌合し得る嵌挿槽が形成され、前記組立部材の前記嵌着孔に対応する外表面には、前記嵌挿溝が形成されていることを特徴とするアルミニウム合金キャビネット構造が提供される。
【０００７】
前記外メインボードの両側には、カバーするのに用いる保護板が設けられ、前記保護板には、前記組立ブロックの前記挿入孔に対応する挿入孔が形成されていることが好ましい。
【０００８】
前記内分離プレートの両側は、前記保護板によりカバーされ、前記保護板には、前記嵌着ブロックの前記嵌着槽に対応するスロットが形成されていることが好ましい。
【図面の簡単な説明】
【０００９】
【図１】本考案の一実施形態に係るアルミニウム合金キャビネット構造を示す分解斜視図である。
【図２】本考案の一実施形態に係るアルミニウム合金キャビネット構造の外メインボードを示す部分拡大図である。
【図３】本考案の一実施形態に係るアルミニウム合金キャビネット構造の内分離プレートを示す部分拡大図である。
【図４】本考案の一実施形態に係るアルミニウム合金キャビネット構造の組立ブロック及び組立部材を示す斜視図である。
【図５】本考案の一実施形態に係るアルミニウム合金キャビネット構造の嵌着ブロック、嵌着部材及び組立部材を示す斜視図である。
【図６】本考案の一実施形態に係るアルミニウム合金キャビネット構造の動作を示す断面図である。
【図７】本考案の一実施形態に係るアルミニウム合金キャビネット構造の動作を示す断面図である。
【図８】本考案の一実施形態に係るアルミニウム合金キャビネット構造を示す斜視図である。
【考案を実施するための形態】
【００１０】
本考案の技術手段及びそれにより達成可能な効果を、より完全かつ明白に開示するために、開示した添付の図面及び符号と併せて本考案を以下詳説する。
【００１１】
図１〜図３を参照する。図１は、本考案の一実施形態に係るアルミニウム合金キャビネット構造を示す分解斜視図である。図２は、本考案の一実施形態に係るアルミニウム合金キャビネット構造の外メインボードを示す部分拡大図である。図３は、本考案の一実施形態に係るアルミニウム合金キャビネット構造の内分離プレートを示す部分拡大図である。
図１〜図３に示すように、本考案の一実施形態に係るアルミニウム合金キャビネット構造は、側板１、外メインボード２、内分離プレート３及び裏板４を備えるとともに、アルミニウム合金からなる。
【００１２】
側板１の内側面の上下端縁及び中央部の適宜な箇所には、位置決め部材１１が配設されている。位置決め部材１１は、螺着部１１１を有する。位置決め部材１１は、螺着部１１１を介して側板１に螺着固定される。螺着部１１１には、挟持セクション１１２が延設されている。挟持セクション１１２の外端には、ストッパ部１１３が接続されている。
【００１３】
図４を併せて参照する。図４は、本考案の一実施形態に係るアルミニウム合金キャビネット構造の組立ブロック及び組立部材を示す斜視図である。
図４に示すように、外メインボード２は、２つの側板１間の上下端に対応するように設けられる。外メインボード２の両側には、組立ブロック２２が嵌合される嵌合部２１がそれぞれ設けられている。組立ブロック２２には、組立孔２２１が凹設されている。外メインボード２には、組立孔２２１に対応する貫通孔２３が形成されている。組立ブロック２２には、側板１に対応する端面に、組立孔２２１と連通する挿入孔２２２が形成され、組立部材２４が組立ブロック２２の組立孔２２１内に嵌合される。
組立部材２４には、挿入孔２２２に対応する挿入槽２４１が形成され、挿入槽２４１の側辺には、嵌挿槽２４２が連通される。組立部材２４の組立孔２２１に対応する外表面には、マイナスドライバ、プラスドライバその他工具を挿入する嵌挿溝２４３が形成されている。外メインボード２の両側には、カバーするのに用いる保護板２５が設けられる。保護板２５には、組立ブロック２２の挿入孔２２２に対応する挿入孔２５１が形成されている。
【００１４】
図５を併せて参照する。図５は、本考案の一実施形態に係るアルミニウム合金キャビネット構造の嵌着ブロック、嵌着部材及び組立部材を示す斜視図である。
図５に示すように、内分離プレート３は、２つの側板１間に対応するように設けられる。内分離プレート３の両側には、嵌着ブロック３２を嵌合する結合部３１が設けられる。嵌着ブロック３２の底面には、嵌着孔３２１が凹設される。嵌着ブロック３２の側板１に対応した端面には、嵌着孔３２１と連通する嵌着槽３２２が形成されるとともに、内分離プレート３の底面には、嵌着孔３２１及び嵌着槽３２２に対応するスリット３３が形成され、嵌着ブロック３２の嵌着孔３２１内には嵌着部材３４が嵌合される。
嵌着部材３４には、嵌着槽３２２に対応する嵌合槽３４１が凹設される。嵌着部材３４内には、組立部材３５が嵌合される。組立部材３５には、嵌合槽３４１に対応した挿入槽３５１が形成される。挿入槽３５１の側辺には、嵌挿槽３５２が形成され、組立部材３５の嵌着孔３２１に対応する外表面には、マイナスドライバ、プラスドライバその他工具を挿入する嵌挿溝３５３が形成される。内分離プレート３の両側には、カバーするのに用いる保護板３６が設けられる。保護板３６には、嵌着ブロック３２の嵌着槽３２２に対応するスロット３６１が形成されている。
【００１５】
裏板４は、側板１、外メインボード２及び内分離プレート３を組み合わせて形成したキャビネットの背面に連結固定される。
【００１６】
本考案のアルミニウム合金キャビネット構造を実際に組み立てる際、側板１の内側面の上下端縁及び中間部の適宜な箇所に位置決め部材１１を配設し、螺着部１１１を介して位置決め部材１１を側板１に螺着し、２つの側板１間の上下端に外メインボード２が対応するように設けられ、位置決め部材１１の挟持セクション１１２は、保護板２５の挿入孔２５１を介し、組立ブロック２２の挿入孔２２２が組立部材２４の挿入槽２４１に挿入される（図６を併せて参照する）。マイナスドライバ、プラスドライバその他工具を利用し、外メインボード２の貫通孔２３に挿通して組立部材２４の嵌挿溝２４３に挿入し、組立部材２４を回転させ、挿入槽２４１が連通した嵌挿槽２４２を、位置決め部材１１のストッパ部１１３に嵌合されて位置決めされるまで移動させ（図７を併せて参照する）、側板１と外メインボード２とを組み合わせる。
【００１７】
内分離プレート３を２つの側板１間に対応するように設け、位置決め部材１１の挟持セクション１１２により、保護板３６のスロット３６１及び内分離プレート３のスリット３３を利用し、嵌着ブロック３２の嵌着槽３２２を嵌着部材３４の嵌合槽３４１と組立部材３５の挿入槽３５１との間に嵌入する。上述と同様にマイナスドライバ、プラスドライバその他工具を利用し、内分離プレート３のスリット３３に挿通して組立部材３５の嵌挿溝３５３に挿入し、組立部材３５を回転させ、挿入槽３５１が連通した嵌挿槽３５２を、位置決め部材１１のストッパ部１１３へ移動させて嵌合させて位置決めされるまで移動し、側板１と内分離プレート３とを組み合わせてから、側板１、外メインボード２及び内分離プレート３の組み合わせにより構成されたキャビネットの背面に裏板４を連結固定する（図８を併せて参照する）。
【００１８】
上述したことから分かるように、本考案のアルミニウム合金キャビネット構造は、従来の構造と比べ、キャビネット全体を組立結合する際に使用する結合部材を隠し、結合部材の露出度を下げて全体の見た目を大幅に向上し、全体の価値を高めて製品の競争力を高めることができる。
【符号の説明】
【００１９】
１      側板
２      外メインボード
３      内分離プレート
４      裏板
１１    位置決め部材
２１    嵌合部
２２    組立ブロック
２３    貫通孔
２４    組立部材
２５    保護板
３１    結合部
３２    嵌着ブロック
３３    スリット
３４    嵌着部材
３５    組立部材
３６    保護板
１１１  螺着部
１１２  挟持セクション
１１３  ストッパ部
２２１  組立孔
２２２  挿入孔
２４１  挿入槽
２４２  嵌挿槽
２４３  嵌挿溝
２５１  挿入孔
３２１  嵌着孔
３２２  嵌着槽
３４１  嵌合槽
３５１  挿入槽
３５２  嵌挿槽
３５３  嵌挿溝
３６１  スロット
【図１】
0003208548.tif 000003
【図２】
0003208548.tif 000004
【図３】
0003208548.tif 000005
【図４】
0003208548.tif 000006
【図５】
0003208548.tif 000007
【図６】
0003208548.tif 000008
【図７】
0003208548.tif 000009
【図８】
0003208548.tif 000010